(57)【要約】      （修正有）【課題】接続インターフェースを具えた二次電池を提供する。【解決手段】プリント基板１０５、複数個の二次電池ユニット１０１、および、接続インターフェース１０３を具える。該二次電池ユニットはプリント基板の製造工程スキルを利用して製造され、等しくプリント基板上に設けられ、かつ、該二次電池ユニットはプリント基板の部分的な材料を利用することで製造されている。接続インターフェースはプリント基板上に設けられ、かつ、該二次電池ユニットと電気的に接続され、および、少なくとも該二次電池ユニットで発生した電力を出力端子として提供される。【選択図】図１
2006024560.tif 000002
【特許請求の範囲】
【請求項１】
接続インターフェースを具えた二次電池装置において、
プリント基板と、
該プリント基板上に設けられた複数個の二次電池ユニットとを有し、
該二次電池ユニットは該プリント基板の部分的材料を利用して製造され、
該プリント基板上に設けられた電気的な接続インターフェースが、該二次電池ユニットと電気的な接続、および、該二次電池ユニットから発生する電力の出力端子として提供されることを特徴とする、接続インターフェースを具えた二次電池装置。
【請求項２】
請求項１記載の二次電池装置において、該接続インターフェースとして、該プリント基板上に設けるゴールドフィンガーを特徴とする、接続インターフェースを具えた二次電池装置。
【請求項３】
請求項１記載の二次電池装置において、該接続インターフェースとして、該プリント基板上に設けるメス型コネクタを特徴とする、接続インターフェースを具えた二次電池装置。
【請求項４】
請求項１記載の二次電池装置において、該接続インターフェースとして、該プリント基板上に設けるオス型コネクタを特徴とする、接続インターフェースを具えた二次電池装置。
【請求項５】
請求項１記載の二次電池装置において、該接続インターフェースとして、該プリント基板上に設ける超小型コネクタを特徴とする、接続インターフェースを具えた二次電池装置。
【請求項６】
請求項１記載の二次電池装置において、該接続インターフェースが少なくとも該二次電池ユニットの制御信号の出力端子として提供されることを特徴とする、接続インターフェースを具えた二次電池装置。
【請求項７】
請求項１記載の二次電池装置において、該接続インターフェースが少なくとも該二次電池ユニットの制御信号の入力端子として提供されることを特徴とする、接続インターフェースを具えた二次電池装置。
【請求項８】
請求項１記載の二次電池装置において、該二次電池ユニットとして、リチウムイオン電池、ニッケル水素電池、リチウムイオンポリマー電池のいずれかかより選択されることを特徴とする、接続インターフェースを具えた二次電池装置。
【請求項９】
請求項１記載の二次電池装置において、該二次電池装置の接続インターフェースは、挿抜式の接続インターフェースとすることを特徴とする、接続インターフェースを具えた二次電池装置。
【請求項１０】
請求項１記載の二次電池装置において、該二次電池装置が拡張ボードで該接続インターフェースと接続でき、該拡張ボードがその他の該二次電池装置の接続インターフェースと接続できることを特徴とする、接続インターフェースを具えた二次電池装置。
【請求項１１】
請求項１０記載の二次電池装置において、該拡張ボードに、少なくとも１個以上、かつ、該接続インターフェースに合わせて使用するコネクタを包含し、該拡張ボードと接続する該二次電池装置のその電力と制御信号の伝送回路として提供されることを特徴とする、接続インターフェースを具えた二次電池装置。
【請求項１２】
請求項１０記載の二次電池装置において、該拡張ボードは、さらに接続インターフェースを含んだ電子装置と電気的に接続するために提供されることを特徴とする、接続インターフェースを具えた二次電池装置。
【請求項１３】
請求項１０記載の二次電池装置において、該拡張ボードは、さらに回路を包含することを特徴とする、接続インターフェースを具えた二次電池装置。
【請求項１４】
請求項１３記載の二次電池装置において、該回路は、直列接続/並列接続し、該拡張ボードと接続する該二次電池装置が発生する電力と直列接続、および（あるいは）、並列接続として用いることを特徴とする、接続インターフェースを具えた二次電池装置。
【請求項１５】
請求項１３記載の二次電池装置において、該回路が電源管理回路であることを特徴とする、接続インターフェースを具えた二次電池装置。
【請求項１６】
請求項１３記載の二次電池装置において、該回路が充電回路であることを特徴とする、接続インターフェースを具えた二次電池装置。
【発明の詳細な説明】
【技術分野】
【０００１】
本発明は二次電池装置に係り、特に、プリント基板の製造工程スキルで製造する二次電池装置であり、かつ、該二次電池装置には接続インターフェースを具える。
【背景技術】
【０００２】
周知の二次電池がリチウムイオン電池、ニッケル水素電池などの場合、金属包装カバー体のものを用い、また、正電極、負電極、隔離膜、電化物質などといった充電池を組成する材料をその金属カバー体で覆っている。周知の二次電池の大部分は、個別の単独形態のパッケージ構造を用いることにより、多数個以上の周知の二次電池を直列接続、あるいは、並列接続を使用して接続させ、往々にして電池ボックスの媒介利用、あるいは、導線溶接の利用、および、パッケージ材質を利用することで周知の二次電池を一緒にパッケージしていた。周知の多量の二次電池を直列接続、あるいは、並列接続して使用する場合、電池ボックス手段、あるいは、導線溶接手段を問わず、一緒に接続する周知の二次電池のその全体積が非常に大きくなった。
本発明の発明者は多数個以上の周知の二次電池を一緒に使用した時に遭遇する困難に基づき、改良に努め接続インターフェースを具えた二次電池装置を発明することで、非常に便利で多数個の二次電池装置を一緒に使用できるようにした。
【発明の開示】
【発明が解決しようとする課題】
【０００３】
本発明の主要な目的は、プリント基板の製造工程スキルを利用して製造される一種の二次電池装置を提供し、かつ、多数個以上の該二次電池を容易に接続させることにある。
【０００４】
本発明の別の目的は、プリント基板の製造工程スキルを利用して製造される一種の二次電池装置を提供し、かつ、該二次電池装置を容易にモジュール化して使用できる需要を実現することにある。
【課題を解決するための手段】
【０００５】
本発明の上述の目的を達成するため、本発明は一種の接続インターフェースを具えた二次電池装置を提供し、それには、プリント基板、プリント基板上に設けられる複数個の二次電池ユニットで、この中の該二次電池ユニットはプリント基板の部分的材料を利用して製造され、プリント基板上に設けられる接続インターフェースが該二次電池ユニットと電気的に接続、および、少なくとも該二次電池ユニットで発生した電力の出力端子として提供することを包含する。
【０００６】
該項目を熟知する技術者に本発明の目的、特徴、及び、効果を理解してもらうため、下記の具体的な実施例を介すると共に付属の図式を組み合わせ、本発明に対する詳細な説明を以下のとおり行うものである。
【発明を実施するための最良の形態】
【０００７】
本発明は、接続インターフェースを具えた一種の二次電池装置１０を提供し、その他主に複数個の二次電池ユニット１０１を包含する以外に、特に、接続インターフェース１０３を包含し、多数個の二次電池装置１０の接続インターフェース１０３を一緒に導通することで、同時に弾性的に多数個の二次電池装置１０に発生する電力を統合することができることによって、電源装置を形成し、さらに、二次電池装置１０の接続インターフェース１０３を介して制御信号の出力端子、あるいは、入力端子とすることで、二次電池装置１０に対し電力管理上で必要とする情報チャンネルとして提供する。
【０００８】
図１は本発明の接続インターフェースを具えた二次電池装置構造を示した表示図である。本発明の二次電池装置１０には、複数個の二次電池ユニット１０１、接続インターフェース１０３、および、プリント基板１０５を包含し、それぞれ以下に説明する。複数個の二次電池ユニット１０１はプリント基板１０５に設けられ、かつ、プリント基板１０５に属する部分的材料を直接利用することで製造され、その製造手段はプリント基板の製造工程スキルを用いることで該二次電池ユニット１０１の各正極と負極が直列接続、あるいは、並列接続することができる。本発明のプリント基板１０５に設置されている該二次電池ユニット１０１の配置方法は、１列配置、あるいは、マトリクス配列を用いることができる。該二次電池ユニット１０１の実施手段によって、リチウムイオン電池、ニッケル水素電池、リチウムイオンポリマー電池等を用いることができる。
【０００９】
接続インターフェース１０３はプリント基板上１０５に設けられ、かつ、該二次電池ユニット１０１と電気的に接続され、接続インターフェース１０３の機能の一つとして該二次電池ユニット１０１で発生した電力を出力端子として提供される。
【００１０】
図２は、図１に基づいて実施された本発明の具体的な実施例である。図２内において、接続インターフェース１０３は、ゴールドフィンガーでプリント基板１０５の中の１個の側辺に設置され、ゴールドフィンガー１０３の主な機能は直列接続、あるいは、並列接続する該二次電池ユニット１０１の正極の総出力端子と負極の総出力端子となり、図２に示す「＋」符号と「−」符号を参考にして下さい。ゴールドフィンガー１０３のその他の端子の主な機能は、制御信号の出力端子、および、入力端子とすることができ、該制御信号は該二次電池ユニット１０１を使用し、例えば該制御信号が温度センサ信号、異常警告信号、データ信号などとすることができる。
【００１１】
当然、接続インターフェース１０３の実施方法はゴールドフィンガーの手段を用いる以外に、例えばメス型コネクタ（Female Type Connecter）、オス型コネクタ（Male Type Connecter）、超小型コネクタ、あるいは、その他の形式のコネクタ等を用いることができる。
【００１２】
図３は、本発明である拡張ボード構造の表示図である。拡張ボード２０の主な機能は多数片の二次電池装置１０を組合せることができ、これにより、多数片の二次電池装置１０から発生する電力を統合することで、力率全体を向上できる。図３内において、拡張ボード２０には少なくとも１個以上のコネクタ２０１、接続インターフェース２０３、および、回路２０５を包含し、それぞれ次の通り説明する。
【００１３】
該コネクタ２０１は、該二次電池装置１０の接続インターフェース１０３をそれぞれ別個に接続することに用いることで、コネクタ２０１で用いる実施手段は、接続インターフェース１０３の機構に合わせて設計されたコネクタである。例えばゴールドフィンガーを接続インターフェース１０３とする場合、コネクタ２０１はスロットコネクタ（Slot Connecter）を用いる。該コネクタ２０１がそれぞれ該接続インターフェース１０３との接続を介することで、該二次電池装置１０の電力と制御信号を拡張ボード２０に伝送できる。
【００１４】
接続インターフェース２０３は、拡張ボード２０が対外的に接続するチャンネルに用い、図４をご参照して下さい。接続インターフェース２０３は１本のケーブル４０を利用して電子装置３０と接続し、これにより、拡張ボード２０が統合した該二次電池装置１０から発生する電力を電子装置３０に伝送できる。
【００１５】
さらに、拡張ボード２０の回路２０５は直列接続/並列接続回路とすることができ、この直列接続/並列接続回路を介して該二次電池装置１０から発生した電力を統合する。その後、接続インターフェース２０３を通じて電子装置３０に伝送する。拡張ボード２０の回路２０５は電源管理回路とすることができ、該二次電池装置１０の発電効率を管理することに用いる。拡張ボード２０の回路２０５は充電回路とすることができ、該二次電池装置１０の全二次電池ユニット１０１に対して充電を実施することに用いる。
【００１６】
本発明の二次電池装置１０の接続インターフェース１０３は挿抜式の接続インターフェースを用いることができ、これによって拡張ボード２０を差込、あるいは、抜取という組立作業に利便性を持つ。
【００１７】
本発明の二次電池装置１０が接続インターフェース１０３の設計を具えることで、下記の効果を達することができる。
【００１８】
本発明で具える接続インターフェース１０３、および、拡張ボード２０の接続を介し、多数個以上の二次電池装置１０が発生する電力を同時に使用することで、モジュール化した電源装置を形成すことができる。
【００１９】
本発明で拡張ボード２０を利用した回路２０５の設計を備えることで、多数個以上の二次電池装置１０が相互に直列接続、あるいは、並列接続させ、必要な特定電圧値を出力させることができる。
【００２０】
本発明では拡張ボード２０を電子装置３０の上に直接設けることができ、例えばコンピュータのマザーボードを拡張ボード２０に直接内蔵することで、多数個の二次電池装置１０の装着に提供され、これにより、電子装置３０に電源装置を内蔵する。
【００２１】
本発明における1つの具体的な実施例を上述に記載したが、本発明の実施範囲が制限されるものではなく、この技術を熟知している任意のものが、本発明の精神と範囲内に基づいた各種の改変と修飾を行うことについて、その改変と修飾もまた本発明の請求範囲に属するものとし、本発明の保護範囲は特許請求範囲で定めたものを基準とする。
【図面の簡単な説明】
【００２２】
【図１】本発明である接続インターフェースを備えた二次電池装置構造の表示図である。
【図２】図１に基づいて実施された本発明の具体的な実施例である。
【図３】本発明である拡張ボード構造の表示図。
【図４】本発明を電子装置に応用した構造の表示図である。
【符号の説明】
【００２３】
１０   二次電池装置
２０   拡張ボード
３０   電子装置
４０   ケーブル
１０１  二次電池ユニット
１０３  接続インターフェース
１０５  プリント基板
２０１  コネクタ
２０３  接続インターフェース
２０５  回路
【図１】
2006024560.tif 000003
【図２】
2006024560.tif 000004
【図３】
2006024560.tif 000005
【図４】
2006024560.tif 000006